(57)【要約】【課題】エッジコンピューティングのネットワーク環境において、屋外に設置される情報処理装置の内部温度を考慮した効率的な情報処理を行うこと。【解決手段】外気を吸気可能な開口部を備える情報処理装置であって、外気の第１の温度を測定する第１の温度測定手段と、内部の第２の温度を測定する第２の温度測定手段と、端末からの要求を受信すると、前記第１の温度が第１の閾値以上であるか否かを判定する第１の判定手段と、前記第１の温度が前記第１の閾値以上である場合に、前記第２の温度の予測値を算出する予測値算出手段と、前記予測値が第２の閾値以上であるか否かを判定する第２の判定手段と、前記第１の温度が前記第１の閾値以上でない場合又は前記予測値が前記第２の閾値以上でない場合、情報処理を行う情報処理手段と、前記予測値が前記第２の閾値以上である場合、他の装置に前記要求を送信する送信手段と、を有することを特徴とする。【選択図】図６
2019109668.tif 000002
【特許請求の範囲】
【請求項１】
外気を吸気可能な開口部を備える情報処理装置であって、
前記開口部から吸気した外気の第１の温度を測定する第１の温度測定手段と、
前記情報処理装置の内部の第２の温度を測定する第２の温度測定手段と、
前記情報処理装置と接続される端末からの要求を受信すると、前記第１の温度が、予め決められた第１の閾値以上であるか否かを判定する第１の判定手段と、
前記第１の温度が前記第１の閾値以上であると判定された場合に、前記要求に応じた情報処理に伴う前記第２の温度の予測値を算出する予測値算出手段と、
前記予測値が、予め決められた第２の閾値以上であるか否かを判定する第２の判定手段と、
前記第１の温度が前記第１の閾値以上でないと判定された場合、又は、前記予測値が前記第２の閾値以上でないと判定された場合、前記要求に応じた情報処理を行う情報処理手段と、
前記予測値が前記第２の閾値以上であると判定された場合、前記情報処理装置と接続される他の装置に前記要求を送信する送信手段と、
を有することを特徴とする情報処理装置。
【請求項２】
前記予測値算出手段は、
応答時間の要求レベルと、前記第２の温度の上昇予測値とが対応付けられたデータベースを参照して、前記要求に含まれる応答時間の要求レベルに対応する前記上昇予測値を特定し、特定した前記上昇予測値と前記第２の温度との和を前記予測値として算出する、ことを特徴とする請求項１に記載の情報処理装置。
【請求項３】
前記送信手段は、
前記情報処理が行われた場合、前記情報処理の処理結果を前記端末に送信し、
前記他の装置に前記要求が送信された場合、該他の装置から受信した処理結果を前記端末に送信する、ことを特徴とする請求項１又は２に記載の情報処理装置。
【請求項４】
外気を吸気可能な開口部を備える第１の情報処理装置と、該第１の情報処理装置の上位のネットワークに位置する第２の情報処理装置とが含まれる情報処理システムであって、
前記第１の情報処理装置は、
前記開口部から吸気した外気の第１の温度を測定する第１の温度測定手段と、
前記第１の情報処理装置の内部の第２の温度を測定する第２の温度測定手段と、
前記第１の情報処理装置と接続される端末からの要求を受信すると、前記第１の温度が、予め決められた第１の閾値以上であるか否かを判定する第１の判定手段と、
前記第１の温度が前記第１の閾値以上であると判定された場合に、前記要求に応じた情報処理に伴う前記第２の温度の予測値を算出する予測値算出手段と、
前記予測値が、予め決められた第２の閾値以上であるか否かを判定する第２の判定手段と、
前記第１の温度が前記第１の閾値以上でないと判定された場合、又は、前記予測値が前記第２の閾値以上でないと判定された場合、前記要求に応じた情報処理を行う情報処理手段と、
前記予測値が前記第２の閾値以上であると判定された場合、前記第２の情報処理装置に前記要求を送信する送信手段と、
を有することを特徴とする情報処理システム。
【発明の詳細な説明】
【技術分野】
【０００１】
本発明は、情報処理装置及び情報処理システムに関する。
【背景技術】
【０００２】
近年、通信ネットワークサービスにおけるデータ処理を効率的に行うため、サーバを分散化させてデータを局所的に処理するエッジコンピューティングと呼ばれる技術が知られるようになってきた。
【０００３】
エッジコンピューティングでは、ネットワークの上位層にあるサーバだけでなく、より端末に近い下位層にあるサーバ（このようなサーバは「エッジサーバ」とも称される。）でもデータ処理を分担することで、端末からの要求に対して高速な応答を可能にしている（例えば、非特許文献１参照）。
【０００４】
エッジコンピューティングを実現するためには、下位層のサーバの役割を果たす情報処理装置を様々な場所に分散して多数設置する必要がある。このため、このような情報処理装置が設置される建物や建物内の空調設備等を構築する必要があり、これらの構築コストや空調用の電力消費に伴う環境負荷等が増大する。これに対して、情報処理装置を屋外に設置する方法が提案されている（例えば、非特許文献２参照）。
【先行技術文献】
【非特許文献】
【０００５】
【非特許文献１】NTTニュースリリース, "高レスポンスやビッグデータ処理が要求される新たなアプリケーションの開拓を推進する「エッジコンピューティング構想」を策定"
【非特許文献２】電子情報通信学会2017年総合大会,A-12-6, "省エネ省資源を目指した環境配慮型情報通信装置の提案(1)"
【発明の概要】
【発明が解決しようとする課題】
【０００６】
ところで、情報処理装置を屋外に設置した場合、外気温の変動に伴って情報処理装置内部の温度が変動する。また、情報処理装置は、データ処理等の情報処理によって発熱するため、その情報処理量に伴って情報処理装置内部の温度が上昇する。
【０００７】
情報処理装置には、一般に、プロセッサやメモリ等の部品が含まれているため、温度が高くなり過ぎると、これらの部品に故障が発生したり熱暴走が発生したりする場合がある。このため、外気温が高く、かつ、情報処理量が多い場合には、情報処理装置内部の温度が高温になり、部品の故障や熱暴走等によって情報処理装置の機能が停止するおそれがある。
【０００８】
本発明は、上記の点を鑑みてなされたもので、エッジコンピューティングのネットワーク環境において、屋外に設置される情報処理装置の内部温度を考慮した効率的な情報処理を行うことを目的とする。
【課題を解決するための手段】
【０００９】
そこで、本発明の実施の形態では、外気を吸気可能な開口部を備える情報処理装置であって、前記開口部から吸気した外気の第１の温度を測定する第１の温度測定手段と、前記情報処理装置の内部の第２の温度を測定する第２の温度測定手段と、前記情報処理装置と接続される端末からの要求を受信すると、前記第１の温度が、予め決められた第１の閾値以上であるか否かを判定する第１の判定手段と、前記第１の温度が前記第１の閾値以上であると判定された場合に、前記要求に応じた情報処理に伴う前記第２の温度の予測値を算出する予測値算出手段と、前記予測値が、予め決められた第２の閾値以上であるか否かを判定する第２の判定手段と、前記第１の温度が前記第１の閾値以上でないと判定された場合、又は、前記予測値が前記第２の閾値以上でないと判定された場合、前記要求に応じた情報処理を行う情報処理手段と、前記予測値が前記第２の閾値以上であると判定された場合、前記情報処理装置と接続される他の装置に前記要求を送信する送信手段と、を有することを特徴とする。
【発明の効果】
【００１０】
エッジコンピューティングのネットワーク環境において、屋外に設置される情報処理装置の内部温度を考慮した効率的な情報処理を行うことができる。
【図面の簡単な説明】
【００１１】
【図１】本発明の実施の形態における屋外設置用情報処理装置が含まれるネットワーク環境の全体構成の一例を示す図である。
【図２】本発明の実施の形態における屋外設置用情報処理装置の外観の一例を示す図である。
【図３】本発明の実施の形態における屋外設置用情報処理装置のハードウェア構成の一例を示す図である。
【図４】本発明の実施の形態における屋外設置用情報処理装置の機能構成の一例を示す図である。
【図５】内部温度上昇予測値ＤＢの一例を示す図である。
【図６】本発明の実施の形態における屋外設置用情報処理装置が実行する処理の一例を示すフローチャートである。
【発明を実施するための形態】
【００１２】
以下、本発明の実施の形態について、図面を参照しながら説明する。以降では、エッジコンピューティングのネットワーク環境として、下位層のサーバ（エッジサーバ）の役割を果たし、屋外に設置される屋外設置用情報処理装置１０が含まれるネットワーク環境１について説明する。
【００１３】
＜全体構成＞
まず、本発明の実施の形態における屋外設置用情報処理装置１０が含まれるネットワーク環境１の全体構成について、図１を参照しながら説明する。図１は、本発明の実施の形態における屋外設置用情報処理装置１０が含まれるネットワーク環境１の全体構成の一例を示す図である。
【００１４】
図１に示すように、ネットワーク環境１には、１以上の屋外設置用情報処理装置１０と、１以上のサーバ装置２０と、１以上の端末３０とが含まれる。
【００１５】
屋外設置用情報処理装置１０は、ネットワーク下位層のサーバ（エッジサーバ）としての役割を果たし、屋外に設置されるコンピュータ又はコンピュータシステムである。屋外設置用情報処理装置１０は、通信ネットワークサービスを利用する端末３０からデータ処理要求を受信すると、当該屋外設置用情報処理装置１０内部の温度（以降、「内部温度」と表す。）Ｔｅを考慮して、データ処理又はネットワーク上位層のサーバ装置２０へのデータ処理要求の転送のいずれかを行う。なお、データ処理とは、通信ネットワークサービスを実現するための各種処理のことである。
【００１６】
サーバ装置２０は、ネットワーク上位層のサーバとしての役割を果たすコンピュータ又はコンピュータシステムである。サーバ装置２０は、屋外設置用情報処理装置１０からデータ処理要求が転送された場合に、当該データ処理要求に応じたデータ処理を行う。
【００１７】
端末３０は、通信ネットワークサービスを利用する機器又は装置である。端末３０としては、通信ネットワークに接続可能な任意の機器又は装置が用いられる。例えば、端末３０としては、スマートフォン、タブレット端末、ＰＣ（パーソナルコンピュータ）、ゲーム機器、車載器、家電、センシングデバイス等の各種機器又は装置が挙げられる。
【００１８】
本発明の実施の形態における屋外設置用情報処理装置１０の内部温度Ｔｅは、当該屋外設置用情報処理装置１０が外部から吸気する外気の温度（以降では、「吸気温度」と表す。）Ｔａと、当該屋外設置用情報処理装置１０の情報処理による内部温度Ｔｅの上昇予測値（以降、「内部温度上昇予測値」と表す。）ΔＴｅとによって決定されるものとする。また、屋外設置用情報処理装置１０の情報処理による内部温度上昇予測値ΔＴｅは、端末３０からのデータ処理要求に対する応答時間の要求レベルに応じて決定されるものとする。
【００１９】
一般に、応答時間の要求レベルが高い（すなわち、高いレスポンス速度を要求している）ほど、単位時間あたりの情報処理量が増加するため、発熱量が多くなり、内部温度上昇予測値ΔＴｅが大きくなる。一方で、応答時間の要求レベルが低い（すなわち、比較的低いレスポンス速度を許容している）ほど、単位時間あたりの情報処理量が減少するため、発熱量が少なくなり、内部温度上昇予測値ΔＴｅが小さくなる。
【００２０】
ここで、吸気温度Ｔａが或る閾値Ｔ１よりも低ければ、外部からの吸気によって、情報処理による内部温度Ｔｅの上昇は発生しないか又はその上昇は少ないものと考えられる。そこで、本発明の実施の形態における屋外設置用情報処理装置１０は、吸気温度Ｔａが閾値Ｔ１未満である場合、応答時間の要求レベルに関わらず、自身でデータ処理を行う。一方で、本発明の実施の形態における屋外設置用情報処理装置１０は、吸気温度Ｔａが閾値Ｔ１以上である場合、情報処理による内部温度上昇予測値ΔＴｅを考慮した内部温度Ｔｅの予測値（以降では、「内部温度予測値」と表す。）Ｔｅ´を算出し、内部温度予測値Ｔｅ´が或る閾値Ｔ２未満である場合、自身でデータ処理を行う一方、内部温度予測値Ｔｅ´が或る閾値Ｔ２以上である場合、端末３０からのデータ処理要求をサーバ装置２０に転送する。言い換えれば、本発明の実施の形態における屋外設置用情報処理装置１０は、内部温度予測値Ｔｅ´が閾値Ｔ２以上である場合、自身でデータ処理を行わずに、当該データ処理をサーバ装置２０に要求する。
【００２１】
閾値Ｔ１は、屋外設置用情報処理装置１０がどのような情報処理を行っても外部からの吸気によって内部温度Ｔｅが閾値Ｔ２以上とならない温度である。閾値Ｔ１は、例えば、通常のデータセンタ等でサーバが設置される専用のサーバルームの空調設定温度に該当し、２０℃〜３０℃等の範囲で設定される。一方で、閾値Ｔ２は、屋外設置用情報処理装置１０に含まれる部品（例えば、プロセッサやメモリ等）の耐熱温度に該当し、これ以上の温度になると部品の故障が発生したり、部品の寿命に影響を与えたりする温度である。閾値Ｔ２は、例えば、６０℃から７０℃等の範囲で設定される。
【００２２】
これにより、本発明の実施の形態における屋外設置用情報処理装置１０は、情報処理によって内部温度Ｔｅが閾値Ｔ２以上となる事態を防止することができる。
【００２３】
＜屋外設置用情報処理装置１０の外観＞
次に、本発明の実施の形態における屋外設置用情報処理装置１０の外観について、図２を参照しながら説明する。図２は、本発明の実施の形態における屋外設置用情報処理装置１０の外観の一例を示す図である。
【００２４】
図２に示すように、本発明の実施の形態における屋外設置用情報処理装置１０は、筐体１１を有する（又は、筐体１１内に格納されている）。また、筐体１１上には、外気を吸気する開口部１２と、当該開口部１２から吸気した外気を排気する開口部１３とが構成されている。本発明の実施の形態における屋外設置用情報処理装置１０は、筐体１１上に開口部１２及び開口部１３が構成されていることによって、外気を吸気することができる。
【００２５】
なお、図２に示す例では、１つの開口部１２と１つの開口部１３とが筐体１１上に構成されている場合を示しているが、これに限られず、外気を吸気する複数の開口部が筐体１１上に構成されていても良いし、外気を排気する複数の開口部が筐体１１上に構成されていても良い。
【００２６】
＜ハードウェア構成＞
次に、本発明の実施の形態における屋外設置用情報処理装置１０のハードウェア構成について、図３を参照しながら説明する。図３は、本発明の実施の形態における屋外設置用情報処理装置１０のハードウェア構成の一例を示す図である。
【００２７】
図３に示すように、本発明の実施の形態における屋外設置用情報処理装置１０は、入力装置１０１と、表示装置１０２と、外部Ｉ／Ｆ１０３と、ＲＡＭ（Random Access Memory）１０４と、ＲＯＭ（Read Only Memory）１０５と、ＣＰＵ（Central Processing Unit）１０６と、通信Ｉ／Ｆ１０７と、補助記憶装置１０８と、温度センサ１０９とを有する。これら各ハードウェアは、それぞれがバス１１０を介して通信可能に接続されている。
【００２８】
入力装置１０１は、例えばキーボードやマウス、タッチパネル等であり、ユーザが各種装置を入力するのに用いられる。表示装置１０２は、例えばディスプレイ等であり、屋外設置用情報処理装置１０の処理結果等を表示する。なお、屋外設置用情報処理装置１０は、入力装置１０１及び表示装置１０２のうちの少なくとも一方を有していなくても良い。
【００２９】
外部Ｉ／Ｆ１０３は、外部装置とのインタフェースである。外部装置には、記録媒体１０３ａ等がある。屋外設置用情報処理装置１０は、外部Ｉ／Ｆ１０３を介して、記録媒体１０３ａ等の読み取りや書き込みを行うことができる。記録媒体１０３ａには、例えば、本発明の実施の形態における屋外設置用情報処理装置１０が有する各機能部を実現するためのプログラムが格納されていても良い。
【００３０】
記録媒体１０３ａには、例えば、フレキシブルディスク、ＣＤ（Compact Disc）、ＤＶＤ（Digital Versatile Disk）、ＳＤメモリカード（Secure Digital memory card）、ＵＳＢ（Universal Serial Bus）メモリカード等がある。
【００３１】
ＲＡＭ１０４は、プログラムやデータを一時保持する揮発性の半導体メモリである。ＲＯＭ１０５は、電源を切ってもプログラムやデータを保持することができる不揮発性の半導体メモリである。ＲＯＭ１０５には、例えば、ＯＳ（Operating System）設定やネットワーク設定等が格納されている。ＣＰＵ１０６は、ＲＯＭ１０５や補助記憶装置１０８等からプログラムやデータをＲＡＭ１０４上に読み出して処理を実行する演算装置である。
【００３２】
通信Ｉ／Ｆ１０７は、屋外設置用情報処理装置１０が他の装置（例えば、サーバ装置２０や端末３０等）と通信を行うためのインタフェースである。本発明の実施の形態における屋外設置用情報処理装置１０が有する各機能部を実現するためのプログラムは、例えば、通信Ｉ／Ｆ１０７を介して、所定のサーバ等から取得（ダウンロード）されても良い。また、本発明の実施の形態における屋外設置用情報処理装置１０は、例えば、通信Ｉ／Ｆ１０７を介して、これら各機能部を実現するためのプログラムを他の装置に提供しても良い。
【００３３】
補助記憶装置１０８は、例えばＨＤＤ（Hard Disk Drive）やＳＳＤ（Solid State Drive）等であり、プログラムやデータを格納している不揮発性の記憶装置である。補助記憶装置１０８に格納されているプログラムやデータには、例えば、ＯＳ、当該ＯＳ上において各種機能を実現するアプリケーションプログラム、本発明の実施の形態における屋外設置用情報処理装置１０が有する各機能部を実現するためのプログラム等がある。温度センサ１０９は、温度を測定するセンシング機器である。
【００３４】
本発明の実施の形態における屋外設置用情報処理装置１０は、上記の各ハードウェア構成を有することにより、後述する各種処理を実現することができる。
【００３５】
＜機能構成＞
次に、本発明の実施の形態における屋外設置用情報処理装置１０の機能構成について、図４を参照しながら説明する。図４は、本発明の実施の形態における屋外設置用情報処理装置１０の機能構成の一例を示す図である。
【００３６】
図４に示すように、本発明の実施の形態における屋外設置用情報処理装置１０は、吸気温度測定部２１０と、内部温度測定部２２０と、送受信部２３０と、吸気温度判定部２４０と、内部温度予測値算出部２５０と、内部温度予測値判定部２６０と、データ処理部２７０とを有する。これら各機能部は、屋外設置用情報処理装置１０にインストールされた１以上のプログラムがＣＰＵ１０６に実行させる処理により実現される。
【００３７】
また、本発明の実施の形態における屋外設置用情報処理装置１０は、閾値ＤＢ３１０と、内部温度上昇予測値ＤＢ３２０とを有する。これら各ＤＢ（データベース）は、例えば補助記憶装置１０８を用いて実現可能である。なお、これら各ＤＢのうちの少なくとも１つのＤＢが、屋外設置用情報処理装置１０とネットワークを介して通信可能な記憶装置等を用いて実現されていても良い。
【００３８】
吸気温度測定部２１０は、温度センサ１０９により、開口部１２から吸気される外気の温度（吸気温度）Ｔａを測定する。吸気温度測定部２１０は、例えば、所定の時間毎に、吸気温度Ｔａを測定する。なお、吸気温度測定部２１０によって測定された吸気温度Ｔａは、例えば、補助記憶装置１０８等に記憶される。
【００３９】
内部温度測定部２２０は、温度センサ１０９により、屋外設置用情報処理装置１０の内部温度Ｔｅを測定する。内部温度測定部２２０は、例えば、所定の時間毎に、内部温度Ｔｅを測定する。なお、内部温度測定部２２０によって測定された内部温度Ｔｅは、例えば、補助記憶装置１０８等に記憶される。
【００４０】
送受信部２３０は、サーバ装置２０や端末３０との間で、データ処理要求や処理結果等の送受信を行う。送受信部２３０は、端末３０からのデータ処理要求を受信する。送受信部２３０は、端末３０からのデータ処理要求に対する処理結果を当該端末３０に返信する。
【００４１】
また、送受信部２３０は、内部温度予測値判定部２６０の判定結果に応じて、端末３０からのデータ処理要求を、サーバ装置２０に転送（送信）する。送受信部２３０は、サーバ装置２０に転送したデータ処理要求に対する処理結果を当該サーバ装置２０から受信する。
【００４２】
ここで、端末３０からのデータ処理要求には、当該データ処理要求に対する応答時間の要求レベルが指定される。応答時間の要求レベルは、例えば、「応答時間がＸ（ｓｅｃ）未満」等と時間で指定される。ただし、応答時間の要求レベルは、これに限られず、例えば、「要求レベルＡ」や「要求レベルＢ」等と指定されていても良い。又は、例えば、「要求レベル高」、「要求レベル中」、「要求レベル低」等と指定されていても良い。
【００４３】
また、要求レベルは、データ処理要求に指定されている場合に限られず、例えば、データ処理要求を受信した屋外設置用情報処理装置１０が、当該データ処理要求の送信元の端末３０の種別等によって要求レベルを特定しても良い。より具体的には、例えば、屋外設置用情報処理装置１０は、データ処理要求の送信元の端末３０の種別が車載器等の高いレスポンス性を要求するものである場合、当該データ処理要求に対する応答時間の要求レベルを高い要求レベル（例えば、「要求レベルＡ」や「要求レベル高」等）と特定する一方で、家電等の比較的高いレスポンス性が要求されないものである場合、当該データ処理要求に対する応答時間の要求レベルを比較的低い要求レベル（例えば、「要求レベルＢ」や「要求レベル中」等）と特定する等である。
【００４４】
吸気温度判定部２４０は、吸気温度測定部２１０により測定された吸気温度Ｔａが、予め設定された閾値Ｔ１以上であるか否かを判定する。なお、閾値Ｔ１は、閾値ＤＢ３１０に格納されている。
【００４５】
内部温度予測値算出部２５０は、内部温度上昇予測値ＤＢ３２０を参照して、送受信部２３０により受信したデータ処理要求に対する応答時間の要求レベルから内部温度上昇予測値ΔＴｅを算出する。そして、内部温度予測値算出部２５０は、内部温度測定部２２０により測定された内部温度Ｔｅと、内部温度上昇予測値ΔＴｅとから内部温度予測値Ｔｅ´を算出する。内部温度予測値Ｔｅ´は、Ｔｅ´＝Ｔｅ＋ΔＴｅで算出される。
【００４６】
内部温度予測値判定部２６０は、内部温度予測値算出部２５０により算出された内部温度予測値Ｔｅ´が、予め設定された閾値Ｔ２以上であるか否かを判定する。なお、閾値Ｔ２は、閾値ＤＢ３１０に格納されている。
【００４７】
データ処理部２７０は、送受信部２３０により受信したデータ処理要求に応じたデータ処理を行う。
【００４８】
閾値ＤＢ３１０は、閾値Ｔ１及び閾値Ｔ２が格納されているデータベースである。内部温度上昇予測値ＤＢ３２０は、応答時間の要求レベルに対する内部温度上昇予測値ΔＴｅが格納されているデータベースである。
【００４９】
ここで、内部温度上昇予測値ＤＢ３２０の一例について、図５を参照しながら説明する。図５は、内部温度上昇予測値ＤＢ３２０の一例を示す図である。
【００５０】
図５に示すように、内部温度上昇予測値ＤＢ３２０には、応答時間の要求レベルと、内部温度上昇予測値ΔＴｅとが対応付けられて格納されている。
【００５１】
例えば、応答時間の要求レベル「Ｘ１ｓｅｃ以上」には、内部温度上昇予測値「＋ΔＴｅ１℃」が対応付けられている。これは、応答時間の要求レベルが「Ｘ１ｓｅｃ以上」である場合、データ処理によって、内部温度ＴｅがΔＴｅ＝ΔＴｅ１上昇すると予測されることを示している。
【００５２】
同様に、応答時間の要求レベル「Ｘ２ｓｅｃ以上、Ｘ１ｓｅｃ未満」には、内部温度上昇予測値「＋ΔＴｅ２℃」が対応付けられている。これは、応答時間の要求レベルが「Ｘ２ｓｅｃ以上、Ｘ１ｓｅｃ未満」である場合、データ処理によって、内部温度ＴｅがΔＴｅ＝ΔＴｅ２上昇すると予測されることを示している。
【００５３】
同様に、応答時間の要求レベル「Ｘ３ｓｅｃ以上、Ｘ２ｓｅｃ未満」には、内部温度上昇予測値「＋ΔＴｅ３℃」が対応付けられている。これは、応答時間の要求レベルが「Ｘ３ｓｅｃ以上、Ｘ２ｓｅｃ未満」である場合、データ処理によって、内部温度ＴｅがΔＴｅ＝ΔＴｅ３上昇すると予測されることを示している。
【００５４】
同様に、応答時間の要求レベル「Ｘ４ｓｅｃ以上、Ｘ３ｓｅｃ未満」には、内部温度上昇予測値「＋ΔＴｅ４℃」が対応付けられている。これは、応答時間の要求レベルが「Ｘ４ｓｅｃ以上、Ｘ３ｓｅｃ未満」である場合、データ処理によって、内部温度ＴｅがΔＴｅ＝ΔＴｅ４上昇すると予測されることを示している。
【００５５】
同様に、応答時間の要求レベル「Ｘ４ｓｅｃ未満」には、内部温度上昇予測値「＋ΔＴｅ５℃」が対応付けられている。これは、応答時間の要求レベルが「Ｘ４ｓｅｃ未満」である場合、データ処理によって、内部温度ＴｅがΔＴｅ＝ΔＴｅ５上昇すると予測されることを示している。
【００５６】
なお、図５に示す例では、Ｘ１≧Ｘ２≧Ｘ３≧Ｘ４であり、ΔＴｅ１≦ΔＴｅ２≦ΔＴｅ３≦ΔＴｅ４≦ΔＴｅ５である。
【００５７】
＜屋外設置用情報処理装置１０が実行する処理＞
以降では、本発明の実施の形態における屋外設置用情報処理装置１０が実行する処理について、図６を参照しながら説明する。図６は、本発明の実施の形態における屋外設置用情報処理装置１０が実行する処理の一例を示すフローチャートである。
【００５８】
まず、送受信部２３０は、端末３０からのデータ処理要求を受信する（ステップＳ１０１）。
【００５９】
次に、吸気温度判定部２４０は、吸気温度測定部２１０により測定された吸気温度Ｔａが閾値Ｔ１以上であるか否かを判定する（ステップＳ１０２）。
【００６０】
ステップＳ１０２で吸気温度Ｔａが閾値Ｔ１以上であると判定された場合、内部温度予測値算出部２５０は、内部温度上昇予測値ＤＢ３２０を参照して、送受信部２３０により受信したデータ処理要求に対する応答時間の要求レベルから内部温度上昇予測値ΔＴｅを算出する（ステップＳ１０３）。すなわち、内部温度予測値算出部２５０は、内部温度上昇予測値ＤＢ３２０において、当該データ処理要求に対する応答時間の要求レベルに対応付けられている内部温度上昇予測値ΔＴｅを特定する。
【００６１】
次に、内部温度予測値算出部２５０は、内部温度測定部２２０により測定された内部温度Ｔｅと、内部温度上昇予測値ΔＴｅとから内部温度予測値Ｔｅ´を、Ｔｅ´＝Ｔｅ＋ΔＴｅにより算出する（ステップＳ１０４）。
【００６２】
次に、内部温度予測値判定部２６０は、内部温度予測値算出部２５０により算出された内部温度予測値Ｔｅ´が閾値Ｔ２以上であるか否かを判定する（ステップＳ１０５）。
【００６３】
ステップＳ１０２で吸気温度Ｔａが閾値Ｔ１以上でないと判定された場合、又は、ステップＳ１０５で内部温度予測値Ｔｅ´が閾値Ｔ２以上でないと判定された場合、データ処理部２７０は、送受信部２３０により受信したデータ処理要求に応じたデータ処理を行う（ステップＳ１０６）。なお、このとき、データ処理部２７０は、応答時間の要求レベルを満たすように当該データ処理を行う。
【００６４】
このように、吸気温度Ｔａが閾値Ｔ１未満である場合又は内部温度予測値Ｔｅ´が閾値Ｔ２未満である場合、屋外設置用情報処理装置１０は、データ処理部２７０により、データ処理を行う。すなわち、吸気温度Ｔａが閾値Ｔ１未満である場合、どのような情報処理を行ったとしても内部温度予測値Ｔｅ´が閾値Ｔ２以上となることは無いため、屋外設置用情報処理装置１０は、データ処理要求に対する応答時間の要求レベルに関わらず、データ処理部２７０によりデータ処理を行う。一方で、内部温度予測値Ｔｅ´が閾値Ｔ２未満である場合、屋外設置用情報処理装置１０は、データ処理要求に対する応答時間の要求レベルを満たすデータ処理を行っても内部温度予測値Ｔｅ´が閾値Ｔ２以上となることは無いため、データ処理部２７０により当該データ処理を行う。
【００６５】
ステップＳ１０５で内部温度予測値Ｔｅ´が閾値Ｔ２以上であると判定された場合、送受信部２３０は、上記のステップＳ１０１で受信したデータ処理要求をサーバ装置２０に転送する（ステップＳ１０７）。これにより、サーバ装置２０では、屋外設置用情報処理装置１０から転送されたデータ処理要求に応じたデータ処理が行われる。そして、サーバ装置２０は、データ処理の処理結果を屋外設置用情報処理装置１０に返信する。なお、このとき、サーバ装置２０は、応答時間の要求レベルを満たすように当該データ処理を行う。
【００６６】
次に、送受信部２３０は、サーバ装置２０からの処理結果を受信する（ステップＳ１０８）。
【００６７】
ステップＳ１０６又はステップＳ１０６に続いて、送受信部２３０は、データ処理部２７０によるデータ処理の処理結果又はサーバ装置２０から返信された処理結果を、上記のステップＳ１０１で受信したデータ処理要求の送信元の端末３０に返信する（ステップＳ１０９）。データ処理要求に対する処理結果が返信されることで、端末３０に対して各種の通信ネットワークサービスが提供される。
【００６８】
＜まとめ＞
以上のように、本発明の実施の形態における屋外設置用情報処理装置１０では、端末３０からのデータ処理要求に対する応答時間の要求レベルに応じて、吸気温度Ｔａ及び内部温度予測値Ｔｅ´を考慮して、自身でデータ処理を行うか又はサーバ装置２０にデータ処理を行わせるかを判定する。これにより、本発明の実施の形態における屋外設置用情報処理装置１０では、端末３０が要求するレスポンス性に応えつつ、高温による故障や機能停止、部品寿命への影響等を防止すると共に、当該屋外設置用情報処理装置１０をエッジサーバとしたエッジコンピューティングに用いられるネットワーク環境１全体で効率的なデータ処理を行うことができる。
【００６９】
しかも、本発明の実施の形態における屋外設置用情報処理装置１０は、屋外に設置可能であり、専用の設備（例えば、専用のサーバルームや空調設備等）を必要としないため、設置コストや電力消費等に伴う環境負荷等を低減させることができる。
【００７０】
本発明は、具体的に開示された上記の実施形態に限定されるものではなく、特許請求の範囲から逸脱することなく、種々の変形や変更が可能である。
【符号の説明】
【００７１】
１        ネットワーク環境
１０      屋外設置用情報処理装置
２０      サーバ装置
３０      端末
２１０    吸気温度測定部
２２０    内部温度測定部
２３０    送受信部
２４０    吸気温度判定部
２５０    内部温度予測値算出部
２６０    内部温度予測値判定部
２７０    データ処理部
３１０    閾値ＤＢ
３２０    内部温度上昇予測値ＤＢ
【図１】
2019109668.tif 000003
【図２】
2019109668.tif 000004
【図３】
2019109668.tif 000005
【図４】
2019109668.tif 000006
【図５】
2019109668.tif 000007
【図６】
2019109668.tif 000008